(57)【要約】【課題】アドレス期間でアドレス放電が十分に行うことができるバイアス電圧を維持電極Ｘに印加するプラズマ表示装置とその駆動方法を提供する。を提供すること。【解決手段】プラズマ表示装置は，第１電極及び第２電極と，第１電極及び第２電極と対向する第３電極を備えた放電セルが複数形成されるプラズマパネルの一フレームを複数のサブフィールドに分割して駆動する。第１サブフィールドでは，リセット期間に全ての放電セルを初期化し，アドレス期間に第２電極に第１電圧を印加する間に第１電極と第３電極に第２電圧と第３電圧を印加して点灯させる放電セルを選択する。第２サブフィールドでは，リセット期間に直前のサブフィールドで選択された放電セルを初期化し，アドレス期間に第２電極に第１電圧より高い第４電圧を印加する間に第１電極と第３電極に第２電圧と第３電圧を印加して点灯させる放電セルを選択する。【選択図】図４
2006139280.tif 000002
【特許請求の範囲】
【請求項１】
複数の第１電極及び複数の第２電極と，前記第１電極及び第２電極と交差する第３電極を備えた放電セルが複数個形成されるプラズマパネルにおける一つのフレーム期間を複数のサブフィールド期間に分割し，各サブフィールド期間をリセット期間，アドレス期間，維持期間に分割して駆動するプラズマ表示装置の駆動方法であって：
第１サブフィールドは；
リセット期間に全ての放電セルを初期化する段階と，アドレス期間に前記第２電極に第１電圧を印加する間に，前記第１電極と第３電極にそれぞれ第２電圧と第３電圧を印加して点灯させる放電セルを選択する段階と，を含み，
第２サブフィールドは；
リセット期間に，直前のサブフィールドで選択された放電セルを初期化する段階と，アドレス期間に，前記第２電極に前記第１電圧より高い第４電圧を印加する間に，前記第１電極と第３電極にそれぞれ第２電圧と第３電圧を印加して点灯させる放電セルを選択する段階と，を含むことを特徴とするプラズマ表示装置の駆動方法。
【請求項２】
前記第１サブフィールドのリセット期間には，
前記第１電極に漸進的に上昇させた後に漸進的に下降する電圧を印加することを特徴とする請求項１に記載のプラズマ表示装置の駆動方法。
【請求項３】
前記第２サブフィールドのリセット期間には，
前記第１電極に漸進的に下降する電圧を印加することを特徴とする請求項１または請求項２に記載のプラズマ表示装置の駆動方法。
【請求項４】
複数の第１電極及び複数の第２電極と，前記第１電極及び第２電極と交差する第３電極を備える放電セルが複数個形成されるプラズマパネルと，リセット期間，アドレス期間または維持期間に前記第１電極，第２電極または第３電極を駆動する駆動回路を備え，
前記駆動回路は，
第１サブフィールドの前記リセット期間に，全ての放電セルを初期化するように動作し，アドレス期間に，前記第２電極に第１電圧を印加する間に，前記第１電極と第３電極にそれぞれ第２電圧と第３電圧を印加して点灯させる放電セルを選択するように動作し，
第２サブフィールドの前記リセット期間に，直前のサブフィールドで選択された放電セルを初期化するように動作し，アドレス期間に，前記第２電極に前記第１電圧より高い第４電圧を印加する間に，前記第１電極と第３電極にそれぞれ第２電圧と第３電圧を印加して点灯させる放電セルを選択するように動作することを特徴とするプラズマ表示装置。
【請求項５】
前記駆動回路は，
前記第１サブフィールドのリセット期間に，前記第１電極に，漸進的に上昇させた後に漸進的に下降する電圧を印加することを特徴とする請求項４に記載のプラズマ表示装置。
【請求項６】
前記駆動回路は，
前記第２サブフィールドのリセット期間に，前記第１電極に，漸進的に下降する電圧を印加することを特徴とする請求項４または請求項５に記載のプラズマ表示装置。
【発明の詳細な説明】
【技術分野】
【０００１】
本発明は，プラズマ表示装置とその駆動方法に関するものである。
【背景技術】
【０００２】
プラズマ表示装置は，気体放電によって生成されたプラズマを用いて文字または映像を表示する平面表示装置であり，その主要部であるプラズマパネルには，大きさに応じて数十〜数百万個以上の画素がマトリックス状に配列されている。
【０００３】
一般のプラズマ表示装置の駆動方法では，一つのフレーム期間を複数のサブフィールド期間に分割し，各サブフィールドを組み合わせて階調を表示する。それぞれのサブフィールド期間は，リセット期間，アドレス期間，維持期間を含んでなる。
【０００４】
リセット期間は，次のアドレス期間に放電を安定的に行うために，直前の維持期間での壁電荷状態を所定状態に形成する期間である。アドレス期間は，走査電極に走査パルスを印加し，アドレス電極にアドレス電圧を印加して点灯させようとするセルと点灯させないセルを分けて，点灯させようとするセル（アドレスされたセル）に壁電荷を形成する動作を行う期間である。維持期間は，アドレスされたセルに映像を表示するための放電を行う期間である。
【０００５】
図１は，従来技術によるプラズマ表示装置の駆動波形図である。図１では，複数のサブフィールドの中で二つのサブフィールドだけを示す。この二つのサブフィールドはそれぞれ第１サブフィールド，第２サブフィールドとする。また，図１では，第１サブフィールドのリセット期間は上昇期間と下降期間を含んでなり（メインリセット），第２サブフィールドのリセット期間は下降期間を含んでなる（補助リセット）ことを示す。
【０００６】
図１に示すように，第１サブフィールドのリセット期間の上昇期間では，走査電極Ｙに緩慢に上昇する電圧を印加して全ての放電セルを放電させて壁電荷を形成し，下降期間では，維持電極Ｘを一定の電圧に維持させた状態で，負の電圧であるＶｎｆ電圧まで漸進的に下降する電圧を印加して壁電荷を消去することによって，次のアドレス期間に放電セルの放電を安定的に行うことができるように壁電荷状態を初期化する。つまり，走査電極Ｙに負の壁電荷，アドレス電極Ａに正の壁電荷が十分に形成されるようにする。
【０００７】
アドレス期間では，複数の走査電極ＹをＶｓｃＨ電圧に維持した状態で，順次にＶｓｃＬ電圧を有する走査パルスを印加する。そうすると，アドレス電極Ａに印加するアドレス電圧Ｖａと走査電極Ｙに印加する電圧ＶｓｃＬの差による電圧と，アドレス電極Ａと走査電極Ｙに形成された壁電荷による壁電圧によって放電が起こり，走査電極Ｙと維持電極Ｘに壁電荷が形成される。そして，維持電極Ｘには所定のバイアス電圧Ｖｅが印加されて，走査電極Ｙとアドレス電極Ａと間の放電に続いて，再び走査電極Ｙと維持電極Ｘとの間に放電が起こるようになり，アドレス放電が安定的に起こる。次に，走査電極Ｙと維持電極ＸにＶｓ電圧と０Ｖ電圧を有する維持放電電圧が交互に印加されて，アドレス期間でアドレス放電が行われたセルに維持放電を起こす。
【０００８】
次に，第２サブフィールドのリセット期間では，第１サブフィールドの維持期間に続いて走査電極Ｙに維持放電電圧Ｖｓが印加された状態で，走査電極Ｙの電圧を負の電圧であるＶｎｆ電圧まで漸進的に下降させる。
【発明の開示】
【発明が解決しようとする課題】
【０００９】
ところが，上記第２サブフィールドのリセット期間では，走査電極Ｙに上昇するランプ波形の電圧が印加されないため，走査電極Ｙに負の壁電荷，アドレス電極Ａに正の壁電荷が十分に形成されない。したがって，次のアドレス期間で，アドレス放電が十分に行われない。
【００１０】
つまり，従来技術の駆動波形は，前述したように，メインリセットを印加した場合と，補助リセットを印加した場合の両方とも，アドレス期間に維持電極Ｘに印加するバイアス電圧Ｖｅが同じである。しかし，メインリセットを印加した場合と，補助リセットを印加した場合は，アドレス期間の直前の壁電荷状態がそれぞれ異なるため，従来のようにメインリセットを印加した場合のアドレス期間の直前の壁電荷状態を基準に，同じバイアス電圧を印加すると，補助リセットを印加した場合のアドレス期間に，アドレス放電が十分に行われない。また，このような問題点を解決するために，補助リセットを印加する場合のアドレス期間の直前の壁電荷状態を基準に，バイアス電圧を設定して印加すると，メインリセットを印加した場合のアドレス期間に，点灯させないセルにもアドレス放電が発生する問題がある。
【００１１】
そこで，本発明は，上記問題に鑑みてなされたものであり，本発明の目的とするところは，一つのフレーム期間で，各サブフィールドのリセット期間に印加される駆動波形に関係なく，アドレス期間にアドレス放電を十分に行うことができるバイアス電圧を維持電極Ｘに印加する，新規かつ改良されたプラズマ表示装置とその駆動方法を提供することにある。
【課題を解決するための手段】
【００１２】
上記課題を解決するために，本発明のある観点によれば，第１電極及び複数の第２電極と，上記第１電極及び第２電極と交差する第３電極を備えた放電セルが複数個形成されるプラズマパネルにおける一つのフレーム期間を複数のサブフィールド期間に分割し，各サブフィールド期間をリセット期間，アドレス期間，維持期間に分割して駆動するプラズマ表示装置の駆動方法であって，第１サブフィールドは，リセット期間に全ての放電セルを初期化する段階と，アドレス期間に上記第２電極に第１電圧を印加する間に，上記第１電極と第３電極にそれぞれ第２電圧と第３電圧を印加して点灯させようとする放電セルを選択する段階と，を含み，第２サブフィールドは，リセット期間に，直前のサブフィールドで選択された放電セルを初期化する段階と，アドレス期間に，上記第２電極に上記第１電圧より高い第４電圧を印加する間に，上記第１電極と第３電極にそれぞれ第２電圧と第３電圧を印加して点灯させようとする放電セルを選択する段階と，を含むことを特徴とするプラズマ表示装置の駆動方法が提供される。
【００１３】
また，上記課題を解決するために，本発明の別の観点によれば，第１電極及び第２電極と，上記第１電極及び第２電極と交差する第３電極を備える放電セルが複数個形成されるプラズマパネルと，リセット期間，アドレス期間または維持期間に上記第１電極，第２電極または第３電極を駆動する駆動回路を備え，上記駆動回路は，第１サブフィールドの上記リセット期間に，全ての放電セルを初期化するように動作し，アドレス期間に，上記第２電極に第１電圧を印加する間に，上記第１電極と第３電極にそれぞれ第２電圧と第３電圧を印加して点灯させようとする放電セルを選択するように動作し，第２サブフィールドの上記リセット期間に，直前のサブフィールドで選択された放電セルを初期化するように動作し，アドレス期間に，上記第２電極に上記第１電圧より高い第４電圧を印加する間に，上記第１電極と第３電極にそれぞれ第２電圧と第３電圧を印加して点灯させようとする放電セルを選択するように動作することを特徴とするプラズマ表示装置が提供される。
【発明の効果】
【００１４】
以上説明したように，本発明によれば，リセット期間に印加される駆動波形によってアドレス期間に維持電極Ｘに印加するバイアス電圧を変えることにより，リセット期間が下降期間だけで行われた場合にも，アドレス期間にアドレス放電を十分に行うことができる。
【発明を実施するための最良の形態】
【００１５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１６】
以下，図２を参照して本発明の実施形態によるプラズマパネルの電極構造について説明する。図２は，本発明の実施形態によるプラズマパネルの電極配列図である。図２に示すように，プラズマパネルの電極はｎ×ｍのマトリックス状に配列される。列方向にはｍ列のアドレス電極（Ａ１−Ａｍ）が，行方向にはｎ行の走査電極（Ｙ１−Ｙｎ）及び維持電極（Ｘ１−Ｘｎ）が交互に伸びている。列方向に伸びているアドレス電極Ａと，行方向に互いに対を成しながら伸びている走査電極Ｙ及び維持電極Ｘとの対向部にある放電空間が放電セル１２を形成する。なお，走査電極Ｙは第１電極に相当し，維持電極Ｘは第２電極に相当し，アドレス電極は第３電極に相当する。
【００１７】
以下，図３を参照して本発明の実施形態によるプラズマ表示装置の構成とその動作について説明する。図３は，本発明の実施形態によるプラズマ表示装置の構成を示す概略図である。図３に示すように，本発明の実施形態によるプラズマ表示装置は，プラズマパネル１００，アドレス駆動部２００，走査駆動部５００，維持駆動部３００及び制御部４００を備える。なお，アドレス駆動部２００，走査駆動部５００，維持駆動部３００は，駆動回路に相当する。
【００１８】
プラズマパネル１００は，列方向に伸びている複数のアドレス電極（Ａ１−Ａｍ）と，行方向に互いに対を成しながら伸びている複数の走査電極（Ｙ１−Ｙｎ）及び維持電極（Ｘ１−Ｘｎ）を備える。
【００１９】
アドレス駆動部２００は，制御部４００からアドレス駆動制御信号ＳＡを受信して点灯させようとする放電セルを選択するためのアドレス電圧を各アドレス電極（Ａ１−Ａｍ）に印加する。
【００２０】
走査駆動部５００及び維持駆動部３００は，制御部４００からそれぞれ出力された走査駆動信号ＳＹおよび維持駆動信号ＳＸを受信し，走査電極（Ｙ１−Ｙｎ）および維持電極（Ｘ１−Ｘｎ）に維持放電電圧をそれぞれ印加する。
【００２１】
制御部４００は，外部から映像信号を受信して，アドレス駆動制御信号ＳＡ，走査駆動信号ＳＹ及び維持駆動信号ＳＸ号を生成して，それぞれアドレス駆動部２００，走査駆動部５００及び維持駆動部３００に出力する。
【００２２】
本発明の実施形態による制御部４００は，各サブフィールドのリセット期間に印加される駆動波形によってアドレス期間に維持電極Ｘに印加するバイアス電圧を変えるように，維持駆動信号ＳＸを生成して維持駆動部３００に出力する。
【００２３】
図４は，本発明の実施形態によるプラズマ表示装置の駆動波形図である。図４では，複数のサブフィールドの中で二つのサブフィールドだけを示す。この二つのサブフィールドをそれぞれ第１サブフィールド，第２サブフィールドとする。また，図４では，第１サブフィールドのリセット期間は上昇期間と下降期間を含んでなり（メインリセット），第２サブフィールドのリセット期間は，下降期間を含んでなる（補助リセット）ことを示す。
【００２４】
図４に示すように，本発明の実施形態による駆動波形は，各サブフィールドにリセット期間，アドレス期間及び維持期間を含む。まず，第１サブフィールドのリセット期間では，従来技術である図１の第１サブフィールドのリセット期間と同様波形であって上昇するランプ電圧によって，全ての放電セルが放電して，走査電極Ｙには多量の負電荷が蓄積され，アドレス電極Ａには多量の正電荷が蓄積される。
【００２５】
次に，走査電極Ｙに下降するランプ電圧を印加して，放電セルの壁電荷状態を維持させながら，零ボルトまで電位を下降させる。この時，上昇するランプ電圧によって，放電セルに形成された壁電荷が消去される。つまり，放電セルに形成された壁電荷を再び消去する動作を行う。
【００２６】
次に，アドレス期間では，放電セルの中で点灯させたい放電セルを選択するために，走査電極Ｙに負電圧であるＶｓｃＬ電圧（第２電圧）を印加してスキャン動作を行う際に，アドレス電極Ａには正のアドレス電圧Ｖａ（第３電圧）を印加し，維持電極Ｘには所定の正電圧Ｖｅ（第１電圧）を印加する。したがって，走査電極ＹのＶｓｃＬ電圧とアドレス電極Ａのアドレス電圧Ｖａによって，走査電極Ｙとアドレス電極Ａとの間で，先に放電が起こり，続いて維持電極Ｘに印加された電圧Ｖｅによって，走査電極Ｙと維持電極Ｘとの間で放電が起こるようになる。前述したように，アドレス期間に起きる二回の放電によって，アドレス放電が十分に行われる。この時，アドレス期間に，維持電極Ｘに印加するバイアス電圧Ｖｅは，直前のリセット期間に上昇波形と下降波形を有するメインリセット波形が印加されたと想定し，その壁電荷状態を基準にして，安定的なアドレス放電を行うことができる電圧に決定することができる。
【００２７】
維持期間では，プラズマ表示装置で階調を表現するために，走査電極Ｙと維持電極Ｘとの間に交互に維持放電電圧Ｖｓを印加することによって，アドレス期間で選択された放電セルを所望の回数だけ放電させる。
【００２８】
次に，第２サブフィールドのリセット期間では，第１サブフィールドの維持期間に続いて走査電極ＹにＶｓ電圧を有する維持放電電圧が印加された状態で，走査電極Ｙの電圧を負のレベルであるＶｎｆ電圧まで漸進的に下降させる。リセット期間に下降波形を有する補助リセット波形だけを印加する場合には，直前のサブフィールドに選択された放電セルにだけリセット放電が行われる。
【００２９】
リセット期間で下降波形を有する補助リセット波形が印加される前には，走査電極Ｙに印加された最後の維持放電電圧Ｖｓによって，走査電極Ｙと維持電極Ｘに，それぞれ多量の負電荷と正電荷が形成されており，アドレス電極Ａにも，所定量の正電荷が形成されている。
【００３０】
このようなリセット期間は，次のアドレス期間に走査電極Ｙとアドレス電極Ａとの間でアドレス放電を安定的に行うために，走査電極Ｙとアドレス電極Ａに所定の電荷を形成する期間である。しかし，補助リセット波形が印加されると，維持電極Ｘと走査電極Ｙとの間の壁電圧は，アドレス電極Ａと走査電極Ｙとの間の壁電圧より高い。したがって，このような壁電圧によって下降するランプ波形が印加されると，アドレス電極Ａと走査電極Ｙとの間の放電より維持電極Ｘと走査電極Ｙとの間の放電が先に起こる。よって，維持電極Ｘと走査電極Ｙに形成される壁電荷が制御されることで，アドレス電極Ａと走査電極Ｙの壁電荷がアドレス動作に適切な状態に制御されないので，アドレス放電を十分に行うことができない。つまり，リセット期間が下降期間だけの補助リセット波形が印加された場合には，リセット期間に上昇と下降を含むメインリセット波形が印加された場合より，走査電極Ｙとアドレス電極Ａに形成される負の壁電荷と正の壁電荷が不十分になる。
【００３１】
この時，補助リセット波形が印加される第２サブフィールドでのアドレス期間では，維持電極Ｘに，第１サブフィールドのアドレス期間に印加されるバイアス電圧Ｖｅ（第１電圧）より高い電圧であるバイアス電圧Ｖｅ’（第４電圧）を印加する。ここで，補助リセット波形の電圧が印加されるサブフィールドでのアドレス期間で，維持電極Ｘに印加されるバイアス電圧Ｖｅ’は，上記第２サブフィールドでのアドレス期間の直前の壁電荷状態を基準にして，安定的なアドレス放電を行うことができる電圧に決定することができる。
【００３２】
維持期間では，プラズマ表示装置で階調を表現するために，走査電極Ｙと維持電極Ｘに交互に維持放電電圧Ｖｓを印加して，アドレス期間に選択された放電セルに放電を発生させる。
【００３３】
前述したように本発明の実施形態によれば，リセット期間に印加される駆動波形によって形成される壁電荷状態に応じて，アドレス期間に維持電極Ｘに印加するバイアス電圧を変える。
【００３４】
つまり，本発明の実施形態による第１サブフィールドのリセット期間のようにメインリセット波形が印加された場合，十分な量の壁電荷が形成されるので，アドレス期間で維持電極Ｘに第２サブフィールドのアドレス期間で印加されるバイアス電圧より低いのバイアス電圧を印加することで，壁電荷が適切量以上に形成されることを防止しながら，点灯されないセルが点灯される誤放電を防止することができる。
【００３５】
なお，補助リセット波形が印加される第２サブフィールドのリセット期間では，補助リセット波形に上昇するランプ波形が存在しないので，走査電極Ｙとアドレス電極Ａに十分な量の壁電荷が形成されない。この時，走査電極Ｙに，第１サブフィールドのアドレス期間に印加されるバイアス電圧と同じ値のバイアス電圧を印加すると，アドレス放電を十分に行うことができない。したがって，このようにリセット期間に補助リセット波形の電圧が印加された場合，アドレス期間では維持電極Ｘに，第１サブフィールドのアドレス期間に印加されるバイアス電圧より高いバイアス電圧Ｖｅ’を印加することで，アドレス放電を十分に行うことができる。
【００３６】
このように，一つのフレーム期間を複数のサブフィールド期間に電圧を分けて駆動する時，少なくとも一つのサブフィールドのリセット期間での駆動波形を変えて印加することで各サブフィールドのアドレス期間の直前の壁電荷状態が同じでない場合にも，上記壁電荷状態に応じて，アドレス期間に維持電極Ｘに印加するバイアス電圧を変えることでアドレス期間でアドレス動作を安定的に行うことができる。
【００３７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００３８】
本発明は，リセット期間に印加される駆動波形によってアドレス期間に維持電極Ｘに印加するバイアス電圧を変えることにより，リセット期間が下降期間だけで行われた場合にも，アドレス期間にアドレス放電を十分に行うことができるプラズマ表示装置に適用可能である。
【図面の簡単な説明】
【００３９】
【図１】従来技術によるプラズマ表示装置の駆動波形図である。
【図２】本発明の実施形態によるプラズマ表示装置の電極配列図である。
【図３】本発明の実施形態によるプラズマ表示装置を示す図である。
【図４】本発明の実施形態によるプラズマ表示装置の駆動波形図である。
【符号の説明】
【００４０】
１２        放電セル
１００      プラズマパネル
２００      アドレス駆動部
３００      維持駆動部
４００      制御部
５００      走査駆動部
【図１】
2006139280.tif 000003
【図２】
2006139280.tif 000004
【図３】
2006139280.tif 000005
【図４】
2006139280.tif 000006